(57)【要約】【課題】電子機器の内部部品を組み上げた後でもフレキシブル配線ケーブルをコネクタに容易に挿抜することができるフレキシブル配線ケーブルの挿抜構造およびこれを備えた電子機器を提供する。【解決手段】フレキシブル配線ケーブル８の端部に取り付けられた補強板９を備え、補強板９は、フレキシブル配線ケーブル８の端部がコネクタ７に挿入された状態で、一部がボトムシャーシ３の側壁より高い位置になる長さを有する。【選択図】図４
2015230758.tif 000002
【特許請求の範囲】
【請求項１】
筐体内に収納された基板上のコネクタに挿抜するフレキシブル配線ケーブルの挿抜構造であって、
前記フレキシブル配線ケーブルの端部に取り付けられた補強板を備え、
前記補強板は、
前記フレキシブル配線ケーブルの端部が前記コネクタに挿入された状態で、一部が前記筐体の側壁より高い位置になる長さを有することを特徴とするフレキシブル配線ケーブルの挿抜構造。
【請求項２】
前記補強板の一部は折り曲げられていることを特徴とする請求項１記載のフレキシブル配線ケーブルの挿抜構造。
【請求項３】
請求項１または請求項２記載のフレキシブル配線ケーブルの挿抜構造を備えた電子機器。
【発明の詳細な説明】
【技術分野】
【０００１】
この発明は、フレキシブルフラットケーブル（以下、ＦＦＣと記載する）、フレキシブルプリント回路（以下、ＦＰＣと記載する）などのフレキシブル配線ケーブルをコネクタに挿抜するフレキシブル配線ケーブルの挿抜構造およびこれを備えた電子機器に関する。
【背景技術】
【０００２】
ＦＦＣやＦＰＣといったフレキシブル配線ケーブルは、複数の配線導体をフレキシブルなベースフィルムで支持して構成されている。このため、フレキシブル配線ケーブルは、薄く、自由に曲げることが可能であり、機器筐体内の狭い空間に通してコネクタ間を接続することができる。このためオーディオ機器やナビゲーション装置などの様々な電子機器に使用されている。
【０００３】
また、特許文献１には、ロック部材が端部に取り付けられたフレキシブル配線ケーブルが開示されている。このロック部材は、フレキシブル配線ケーブルと同等の幅を有した板状部材から構成されており、フレキシブル配線ケーブルの端部とともにコネクタの開口部に挿入される。これにより、ロック部材は、フレキシブル配線ケーブルの端部の露出した導体部をコネクタ内の接続端子に圧接させた状態で、フレキシブル配線ケーブルの端部をコネクタに接続固定する。
【先行技術文献】
【特許文献】
【０００４】
【特許文献１】特開２０００−１５００３１号公報
【発明の概要】
【発明が解決しようとする課題】
【０００５】
フレキシブル配線ケーブルの端部をコネクタの開口部に挿入する際に、作業者は、上記端部を把持してコネクタの開口部に押し込むように嵌入させる。これにより、上記導体部とコネクタ内の接続端子とが当接した状態でフレキシブル配線ケーブルがコネクタに接続される。このようにフレキシブル配線ケーブルをコネクタに挿抜する場合、フレキシブル配線ケーブルの端部を把持するスペースが必要となる。すなわち、電子機器の内部部品を組み上げた状態では、フレキシブル配線ケーブルの端部を把持するスペースがなくなり、フレキシブル配線ケーブルの挿抜が困難になるという課題があった。
【０００６】
例えば、機器筐体内で底面側から内部部品が上方に順次配置される電子機器において、フレキシブル配線ケーブルの一方の端部を機器筐体の底面側に配置された基板のコネクタに接続し、もう一方の端部を上方の基板のコネクタに接続した場合を考える。
この場合、内部部品を組み上げた後の機器筐体内にフレキシブル配線ケーブルの端部を把持できるスペースはない。従って、電子機器の内部部品を組み上げた後にフレキシブル配線ケーブルを交換するには、その端部を把持できるスペースが確保されるまで内部部品を順に取り外す必要がある。
【０００７】
また、特許文献１の発明においても、フレキシブル配線ケーブルの端部を把持してロック部材とともにコネクタに嵌入する。従って、上記と同様に、電子機器の内部部品を一度組み上げてしまうと、フレキシブル配線ケーブルの挿抜が困難になる。
【０００８】
この発明は、上記のような課題を解決するためになされたもので、電子機器の内部部品を組み上げた後でもフレキシブル配線ケーブルをコネクタに容易に挿抜することができるフレキシブル配線ケーブルの挿抜構造およびこれを備えた電子機器を得ることを目的とする。
【課題を解決するための手段】
【０００９】
この発明に係るフレキシブル配線ケーブルの挿抜構造は、筐体内に収納された基板上のコネクタに挿抜するフレキシブル配線ケーブルの挿抜構造であって、フレキシブル配線ケーブルの端部に取り付けられた補強板を備え、補強板は、フレキシブル配線ケーブルの端部がコネクタに挿入された状態で、一部が筐体の側壁より高い位置になる長さを有することを特徴とする。
【発明の効果】
【００１０】
この発明によれば、電子機器の内部部品を組み上げた後でもフレキシブル配線ケーブルをコネクタに容易に挿抜することができるという効果がある。
【図面の簡単な説明】
【００１１】
【図１】この発明の実施の形態１に係るフレキシブル配線ケーブルの挿抜構造を備えたディスク装置を示す斜視図である。
【図２】図１のディスク装置の分解斜視図である。
【図３】実施の形態１に係るフレキシブル配線ケーブル、補強板およびコネクタを示す図である。
【図４】実施の形態１に係るフレキシブル配線ケーブルの挿抜構造の概要を示す図である。
【発明を実施するための形態】
【００１２】
実施の形態１．
図１は、この発明の実施の形態１に係るフレキシブル配線ケーブルの挿抜構造を備えたディスク装置１を示す斜視図である。また、図２は、図１のディスク装置１の分解斜視図である。本発明に係る電子機器の筐体は、複数の筐体部材を組み合わせて構成される。例えば、図１に示すように、ディスク装置１では、トップカバー２、ボトムシャーシ３、フロントシャーシ４およびリアシャーシ５を組み合わせて筐体が構成されている。
【００１３】
ディスク装置１は、内部構成として、例えば、図２に示すように、基板６，１３、ブラケット１０，１２、メカドライブ１１を備える。基板６は、ボトムシャーシ３の底面側に配置される基板であり、例えば、ボス３ａにねじ止めなどで固定される。また、基板６には、コネクタ７が実装される。コネクタ７は、フレキシブル配線ケーブル８の端部が装着されるコネクタであり、ボトムシャーシ３の側壁に面した基板６の外縁部に実装される。補強板９が端部に取り付けられたフレキシブル配線ケーブル８は、このコネクタ７に装着される。
【００１４】
メカドライブ１１は、ＣＤやＤＶＤなどの記録メディアに記録されたメディアデータを再生する内部部品であり、ブラケット１０を介して基板６の上方に組み付けられる。ブラケット１０は、例えばフロントシャーシ４およびリアシャーシ５に取り付けられる。
基板１３は、トップカバー２側に配置される基板であり、ブラケット１２のボス１２ａにねじ止めなどで固定される。ブラケット１２は、例えばフロントシャーシ４およびリアシャーシ５に取り付けられる。また、基板１３にはコネクタ１４が実装される。
コネクタ１４は、フレキシブル配線ケーブル８のもう一方の端部が装着されるコネクタであり、例えばボトムシャーシ３の側壁に面した基板１３の外縁部に実装される。
【００１５】
基板６は、コネクタ７にフレキシブル配線ケーブル８が装着された状態でボトムシャーシ３に組み付けられ、その上方に、ブラケット１０、メカドライブ１１、ブラケット１２、基板１３が順次組み付けられる。これらの内部部品の組み付けが完了してからトップカバー２を取り付けることにより、図１に示すディスク装置１が組み上がる。
【００１６】
図３は、実施の形態１に係るフレキシブル配線ケーブル８、補強板９およびコネクタ７を示す図である。図３（ａ）に示すように、フレキシブル配線ケーブル８は、その端部に補強板９が取り付けられ、補強板９とともにコネクタ７の開口部に挿入されて装着される。また、フレキシブル配線ケーブル８のもう一方の端部はコネクタ１４に装着される。
【００１７】
フレキシブル配線ケーブル８は、フレキシブルなベースフィルムにより複数の配線導体を支持して構成されたケーブルであり、配線導体が幅方向に配列されたＦＦＣまたは配線導体からなる回路が印刷されたＦＰＣなどが挙げられる。フレキシブル配線ケーブル８の端部は、図３（ｂ）に示すように導体部８ａが露出しており、これに隣接した接着部８ｂに補強板９が接着されて取り付けられる。
【００１８】
補強板９は、剛性を有した樹脂などの絶縁材料から構成され、図３（ａ）に示すように、フレキシブル配線ケーブル８とほぼ同様な幅を有する板状部材である。また、補強板９は、フレキシブル配線ケーブル８に取り付けられた端部とは反対側の端部を折り曲げて形成した折り曲げ部９ａを有する。
本発明の特徴は、補強板９の長さが延長されていることにある。すなわち本発明に係る補強板９は、図３（ｃ）に示すようにボトムシャーシ３に内部部品を組み付けたときに、折り曲げ部９ａがボトムシャーシ３の側壁より高さＡだけ高い位置になる長さを有する。なお、高さＡは、作業者が折り曲げ部９ａを把持することができる高さであればよい。
【００１９】
図４は、実施の形態１に係るフレキシブル配線ケーブル８の挿抜構造の概要を示す図であり、リアシャーシ５を取り外して内部部品を組み上げたボトムシャーシ３の内部を視認できるように記載している。なお、ブラケット１０，１２は記載を省略している。
図４（ａ）に示す構成は補強板９を有さないフレキシブル配線ケーブル８を用いた場合の構成である。フレキシブル配線ケーブル８は、その端部の導体部８ａがコネクタ７内の接続端子に圧接された状態で装着される。このため、フレキシブル配線ケーブル８の端部をコネクタ７に装着するには、作業者が、この端部を把持してコネクタ７の開口部に押し込むように嵌入させる必要がある。しかし、図４（ａ）に示すようにボトムシャーシ３に内部部品を組み上げてしまうと、作業者がフレキシブル配線ケーブル８の端部を把持するスペースがない。このため、従来では、ボトムシャーシ３に内部部品を組み上げた後に、フレキシブル配線ケーブル８を交換する場合、フレキシブル配線ケーブル８の端部を把持できるスペースが確保されるまで内部部品を順に取り外していた。
【００２０】
これに対して、本発明では、ボトムシャーシ３に内部部品を組み上げた後であっても、補強板９の折り曲げ部９ａがボトムシャーシ３の側壁より高い位置になる。補強板９は、その端部がフレキシブル配線ケーブル８の接着部８ｂで接着されて取り付けられている。これにより、作業者は折り曲げ部９ａを摘まんで矢印方向（コネクタ７から離間する方向）に力を加えれば、補強板９とともにフレキシブル配線ケーブル８を容易にコネクタ７から取り外すことが可能である。
【００２１】
また、フレキシブル配線ケーブル８をコネクタ７に装着する場合は、ボトムシャーシ３に内部部品を組み上げた状態のまま、フレキシブル配線ケーブル８の端部をコネクタ７の開口部にあてがう。そして、折り曲げ部９ａを矢印方向（コネクタ７の方向）に力を加えることにより、補強板９とともにフレキシブル配線ケーブル８を容易にコネクタ７に挿入することが可能である。このように、本発明では、折り曲げ部９ａが作業者によって把持できる位置にくる長さの補強板９を用いることで、内部部品を順に取り外さなくても容易にコネクタ７にフレキシブル配線ケーブル８を挿抜できる。
【００２２】
なお、補強板９の端部を折り曲げ部９ａとすることで、挿入方向および取り外し方向の力を容易に印加することができる。ただし、本発明は、補強板９の一部がボトムシャーシ３の側壁より高い位置にくれば、その部分を作業者が把持することができるので、同様の効果を得られる。
【００２３】
以上のように、この実施の形態１によれば、フレキシブル配線ケーブル８の端部に取り付けられた補強板９を備え、補強板９は、フレキシブル配線ケーブル８の端部がコネクタ７に挿入された状態で、一部がボトムシャーシ３の側壁より高い位置になる長さを有する。このように構成することで、ディスク装置１の内部部品を組み上げた後であっても作業者が補強板９の一部を把持することができる。これにより、補強板９の一部に力を加えてフレキシブル配線ケーブル８をコネクタ７に容易に挿抜することができる。
【００２４】
また、この実施の形態１によれば、補強板９の一部は、折り曲げられて折り曲げ部９ａを形成している。このようにすることで、折り曲げ部９ａを介してフレキシブル配線ケーブル８の挿入方向および取り外し方向の力を容易に印加することができる。
【００２５】
なお、本発明はその発明の範囲内において、実施の形態の任意の構成要素の変形、もしくは実施の形態の任意の構成要素の省略が可能である。
【符号の説明】
【００２６】
１  ディスク装置、２  トップカバー、３  ボトムシャーシ、３ａ，１２ａ  ボス、４  フロントシャーシ、５  リアシャーシ、６，１３  基板、７，１４  コネクタ、８  フレキシブル配線ケーブル、８ａ  導体部、８ｂ  接着部、９  補強板、９ａ  折り曲げ部、１０，１２  ブラケット、１１  メカドライブ。
【図１】
2015230758.tif 000003
【図２】
2015230758.tif 000004
【図３】
2015230758.tif 000005
【図４】
2015230758.tif 000006